(57)【要約】      （修正有）【課題】連結ピンを抜く際の連結ピンの飛び出しを防ぐことができ、安全性を確保することができる連結ピン受け具を提供する。【解決手段】収納部１１が、複数の部材を連結する連結ピンを収納可能に設けられた収納空間２４と、収納空間２４に連通し、連結ピンを通過可能に設けられた開口２１と、収納空間２４の開口２１とは反対側に設けられたストッパ壁２２とを有している。取付部１２が、複数の部材を連結した連結ピンに開口２１を向けた状態で、収納部１１を各部材に取付可能に設けられている。【選択図】図１
2019142652.tif 000002
【特許請求の範囲】
【請求項１】
複数の部材に設けられた連結用貫通穴に挿入されて、各部材を連結した連結ピンを抜く際に使用される連結ピン受け具であって、
収納部と取付部とを有し、
前記収納部は、前記連結ピンを収納可能に設けられた収納空間と、前記収納空間に連通し、前記連結ピンを通過可能に設けられた開口と、前記収納空間の前記開口とは反対側に設けられたストッパ壁とを有し、
前記取付部は、各部材を連結した前記連結ピンに前記開口を向けた状態で、前記収納部を各部材に取付可能に設けられていることを
特徴とする連結ピン受け具。
【請求項２】
前記連結ピンは、各連結用貫通穴から抜くとき、各連結用貫通穴の一方の側に位置する一方の端部から、各連結用貫通穴の他方の側に位置する他方の端部に向かって抜くよう構成されており、
前記開口は、前記収納空間に前記連結ピンを収納する際に、前記他方の端部から前記連結ピンを通過可能に設けられ、
前記取付部は、各連結用貫通穴の他方の側で、各部材を連結した前記連結ピンの前記他方の端部を前記開口の縁部で囲うと共に、前記ストッパ壁が前記一方の端部とは反対側に配置されるよう、前記収納部を各部材に取付可能であることを
特徴とする請求項１記載の連結ピン受け具。
【請求項３】
前記収納部は、前記開口の縁部からストッパ壁まで伸びて、前記収納空間を囲うよう設けられた周壁を有することを特徴とする請求項１または２記載の連結ピン受け具。
【請求項４】
各部材は、複数のブーム材を着脱してブームの長さを変更可能なクレーンの各ブーム材であり、
前記連結ピンは、各ブーム材を連結可能であることを
特徴とする請求項１乃至３のいずれか１項に記載の連結ピン受け具。
【発明の詳細な説明】
【技術分野】
【０００１】
本発明は、連結ピン受け具に関する。
【背景技術】
【０００２】
従来、複数のブーム材を着脱してブームの長さを変更可能なクレーンでは、各ブーム材の端部に設けられた連結用貫通穴の位置を合わせ、その各連結用貫通穴に連結ピンを挿入することにより、各ブーム材を連結するようになっている。また、各連結用貫通穴に挿入された連結ピンを抜くことにより、各ブーム材を分解するようになっている（例えば、特許文献１または２参照）。
【０００３】
連結された各ブーム材の連結ピンを抜く際、クレーンの取扱説明書では、シノなどにより連結ピンをたたき抜くよう記載されている。しかし、実際の現場では、クレーンの足場やブームの接地位置が水平でないことが多く、ブーム材にねじれが生じて連結ピンに負荷がかかるため、シノによる打撃では容易に抜くことができない場合が多い。そこで、ハンマーや大型ハンマー、掛矢などで強くたたくことにより、連結ピンを抜くことが行われてきた。
【先行技術文献】
【特許文献】
【０００４】
【特許文献１】特開２０１３−１９３８５２号公報
【特許文献２】特開２００４−１８２５１号公報
【発明の概要】
【発明が解決しようとする課題】
【０００５】
しかしながら、ハンマーや大型ハンマー、掛矢などで、各連結用貫通穴の一方の側に突出した連結ピンの端部を強くたたくと、各連結用貫通穴から抜けた連結ピンが、各連結用貫通穴の他方の側に勢いよく飛び出すため、人や物に当たって非常に危険であるという課題があった。
【０００６】
本発明は、このような課題に着目してなされたもので、連結ピンを抜く際の連結ピンの飛び出しを防ぐことができ、安全性を確保することができる連結ピン受け具を提供することを目的としている。
【課題を解決するための手段】
【０００７】
上記目的を達成するために、本発明に係る連結ピン受け具は、複数の部材に設けられた連結用貫通穴に挿入されて、各部材を連結した連結ピンを抜く際に使用される連結ピン受け具であって、収納部と取付部とを有し、前記収納部は、前記連結ピンを収納可能に設けられた収納空間と、前記収納空間に連通し、前記連結ピンを通過可能に設けられた開口と、前記収納空間の前記開口とは反対側に設けられたストッパ壁とを有し、前記取付部は、各部材を連結した前記連結ピンに前記開口を向けた状態で、前記収納部を各部材に取付可能に設けられていることを特徴とする。
【０００８】
本発明に係る連結ピン受け具は、複数の部材を連結した連結ピンを抜く際に、以下のようにして使用される。すなわち、まず、取付部により、各部材を連結した連結ピンに開口を向けた状態で、収納部を各部材に取り付ける。次に、各部材の収納部を取り付けた側とは反対側に突出した連結ピンの一方の端部を、他方の端部側（収納部側）に向かって、ハンマーや大型ハンマー、掛矢などでたたく。これにより、連結ピンが各連結用貫通穴から抜け、収納部側に向かって飛び出して、収納部の開口から収納空間に入り、収納空間の開口とは反対側に設けられたストッパ壁に当たって止まる。その後、収納部を各部材から取り外すことにより、各連結用貫通穴から抜けた連結ピンを、収納空間の内部に収納した状態で回収することができる。このように、本発明に係る連結ピン受け具は、連結ピンを抜く際の連結ピンの飛び出しを防ぐことができ、安全性を確保することができる。
【０００９】
本発明に係る連結ピン受け具で、前記連結ピンは、各連結用貫通穴から抜くとき、各連結用貫通穴の一方の側に位置する一方の端部から、各連結用貫通穴の他方の側に位置する他方の端部に向かって抜くよう構成されており、前記開口は、前記収納空間に前記連結ピンを収納する際に、前記他方の端部から前記連結ピンを通過可能に設けられ、前記取付部は、各連結用貫通穴の他方の側で、各部材を連結した前記連結ピンの前記他方の端部を前記開口の縁部で囲うと共に、前記ストッパ壁が前記一方の端部とは反対側に配置されるよう、前記収納部を各部材に取付可能であることが好ましい。この場合、取付部で収納部を各部材に取り付ける際、各部材を連結した連結ピンの他方の端部を開口の縁部で囲うことにより、連結ピンを抜くときに確実に収納空間に収納することができ、安全性をさらに高めることができる。
【００１０】
本発明に係る連結ピン受け具で、前記収納部は、前記開口の縁部からストッパ壁まで伸びて、前記収納空間を囲うよう設けられた周壁を有することが好ましい。この場合、周壁により、収納空間に飛び込んだ連結ピンが、収納空間の側方から外部に飛び出すのを防ぐことができる。周壁は、連結ピンが収納空間の側方に抜けるのを防止可能であればよく、収納空間の内部と外部とに連通した穴やスリット等を有していてもよい。
【００１１】
本発明に係る連結ピン受け具で、各部材は、複数のブーム材を着脱してブームの長さを変更可能なクレーンの各ブーム材であり、前記連結ピンは、各ブーム材を連結可能であってもよい。この場合、クレーンの各ブーム材を連結する連結ピンを抜く際に使用することができる。また、本発明に係る連結ピン受け具は、クレーンの各ブーム材を連結する連結ピンに限らず、いかなる連結ピンに対して使用されてもよい。
【発明の効果】
【００１２】
本発明によれば、連結ピンを抜く際の連結ピンの飛び出しを防ぐことができ、安全性を確保することができる連結ピン受け具を提供することができる。
【図面の簡単な説明】
【００１３】
【図１】本発明の実施の形態の連結ピン受け具を示す（ａ）斜視図、（ｂ）側面図である。
【図２】（ａ）クレーンの複数のブーム材を連結ピンで連結した状態を示す底面図、（ｂ）本発明の実施の形態の連結ピン受け具の、（ａ）の連結ピンを抜く際の使用状態を示す底面図である。
【発明を実施するための形態】
【００１４】
以下、図面に基づき、本発明の実施の形態について説明する。
図１および図２は、本発明の実施の形態の連結ピン受け具を示している。
図１に示すように、連結ピン受け具１０は、収納部１１と取付部１２と把持部１３とを有している。
【００１５】
収納部１１は、鋼管を利用して形成されている。収納部１１は、一端に開口２１を有し、他端がストッパ壁２２で塞がれ、側方が周壁２３で囲まれた円筒形状を成しており、内側に収納空間２４を有している。開口２１は、縁部が円形状を成しており、収納空間２４に連通している。ストッパ壁２２は、収納空間２４の開口２１とは反対側に設けられている。周壁２３は、開口２１の縁部からストッパ壁２２まで伸びて、収納空間２４を囲うよう設けられている。また、収納部１１は、開口２１の縁部に沿って中心角が１８０℃以下の範囲で、開口２１の縁部からストッパ壁２２に向かって所定の奥行きで形成された切欠部２５を有している。
【００１６】
取付部１２は、矩形状の鋼板の両端部２６ａ，２６ｂを、中央部２７に対して同じ側に垂直に折り曲げて形成されている。取付部１２は、一方の端部２６ａの外側面が、収納部１１の開口２１の縁部の端面に固定されている。取付部１２は、一方の端部２６ａの開口２１の位置に、収納空間２４に連通し、開口２１と同じ大きさの貫通孔２８ａを有している。また、取付部１２は、一方の端部２６ａに、貫通孔２８ａから端縁まで、貫通孔の直径よりやや狭い幅で切り取って形成された間隙部２９ａを有している。間隙部２９ａは、切欠部２５の幅と同じ幅を有している。取付部１２は、他方の端部２６ｂの、一方の端部２６ａの貫通孔２８ａと間隙部２９ａとに対向する位置に、それらと同じ大きさの貫通孔２８ｂと間隙部２９ｂとを有している。
【００１７】
把持部１３は、細長い丸鋼をコの字形に折り曲げて形成されている。把持部１３は、一端が取付部１２の中央部２７の外側面に固定され、他端が収納部１１の周壁２３の外側面のストッパ壁２２寄りの位置に固定されている。把持部１３は、収納空間２４に対して、間隙部２９ａ，２９ｂとは反対側に設けられている。
【００１８】
図２（ａ）に示すように、連結ピン受け具１０は、複数の部材１ａ、１ｂに設けられた連結用貫通穴２ａ，２ｂに挿入されて、各部材１ａ、１ｂを連結した連結ピン３を抜く際に使用されるよう構成されている。連結ピン３は、各連結用貫通穴２ａ，２ｂから抜くとき、各連結用貫通穴２ａ，２ｂの一方の側に位置する一方の端部３ａから、各連結用貫通穴２ａ，２ｂの他方の側に位置する他方の端部３ｂに向かって抜くよう構成されている。なお、図２（ａ）に示す一例では、各部材１ａ、１ｂは、複数のブーム材を着脱してブームの長さを変更可能なクレーンの各ブーム材であり、連結ピン３は、各ブーム材を連結するものである。また、連結ピン３は、他方の端部３ｂにフランジが設けられているが、両端部３ａ，３ｂがテーパー状に加工されたものであってもよい。連結ピン３は、各部材１ａ、１ｂを連結後、連結用貫通穴２ａ，２ｂから抜けないように、例えば、一方の端部３ａまたは両端部３ａ，３ｂにスプリングピンを取り付けて固定される。
【００１９】
図１に示すように、収納部１１の収納空間２４は、連結ピン３を収納可能になっている。開口２１は、収納空間２４に連結ピン３を収納する際に、他方の端部３ｂから連結ピン３を通過可能になっている。図２（ｂ）に示すように、取付部１２は、一方の端部２６ａを連結ピン３の他方の端部３ｂの側にし、他方の端部２６ｂを連結ピン３の一方の端部３ａの側にして、各端部２６ａ，２６ｂの間に、連結ピン３で連結された各部材１ａ、１ｂの連結位置を挿入可能になっている。また、取付部１２は、各連結用貫通穴２ａ，２ｂの他方の側、すなわち連結ピン３の他方の端部３ｂの側に、各部材１ａ、１ｂを連結した連結ピン３に開口２１を向けた状態で、連結ピン３の他方の端部３ｂを開口２１の縁部で囲うと共に、ストッパ壁２２が一方の端部３ａとは反対側に配置されるよう、収納部１１を各部材１ａ、１ｂに取付可能になっている。
【００２０】
連結ピン受け具１０は、各部材１ａ、１ｂに取り付ける際、取付部１２の一方の端部２６ａの側で、間隙部２９ａおよび切欠部２５を通して、貫通孔２８ａおよび開口２１に、連結ピン３の他方の端部３ｂを挿入可能になっており、取付部１２の他方の端部２６ｂの側では、間隙部２９ｂを通して貫通孔２８ｂに、連結ピン３の一方の端部３ａを挿入可能になっている。
【００２１】
連結ピン受け具１０は、複数の部材１ａ、１ｂを連結した連結ピン３を抜く際に、以下のようにして使用される。すなわち、図２（ｂ）に示すように、まず、取付部１２により、各部材１ａ、１ｂを連結した連結ピン３に開口２１を向けた状態で、収納部１１を各部材１ａ、１ｂに取り付ける。次に、各部材１ａ、１ｂの収納部１１を取り付けた側とは反対側に突出した連結ピン３の一方の端部３ａを、他方の端部３ｂ側（収納部１１の側）に向かって、ハンマーや大型ハンマー、掛矢などでたたく（図２（ｂ）中の実線の矢印参照）。
【００２２】
これにより、連結ピン３が各連結用貫通穴２ａ，２ｂから抜け、収納部１１の側に向かって飛び出して、収納部１１の開口２１から収納空間２４に入り（図２（ｂ）中の破線の矢印参照）、収納空間２４の開口２１とは反対側に設けられたストッパ壁２２に当たって止まる。また、このとき、周壁２３により、収納空間２４に飛び込んだ連結ピン３が、収納空間２４の側方から外部に飛び出すのを防ぐことができる。その後、収納部１１を各部材１ａ、１ｂから取り外すことにより、各連結用貫通穴２ａ，２ｂから抜けた連結ピン３を、収納空間２４の内部に収納した状態で回収することができる。このように、連結ピン受け具１０は、連結ピン３を抜く際の連結ピン３の飛び出しを防ぐことができ、安全性を確保することができる。
【００２３】
また、連結ピン受け具１０は、取付部１２で収納部１１を各部材１ａ、１ｂに取り付ける際、各部材１ａ、１ｂを連結した連結ピン３の他方の端部３ｂを開口２１の縁部で囲うことにより、連結ピン３を抜くときに確実に収納空間２４に収納することができ、安全性をさらに高めることができる。また、連結ピン受け具１０は、把持部１３により、持ち運びや各部材１ａ、１ｂへの設置、各部材１ａ、１ｂからの取り外しを容易に行うことができる。
【００２４】
連結ピン受け具１０は、図２（ｂ）に示すクレーンの各ブーム材を連結する連結ピン３に限らず、いかなる連結ピンに対しても使用することができる。
【符号の説明】
【００２５】
１ａ，１ｂ  部材
２ａ，２ｂ  連結用貫通穴
３  連結ピン
３ａ  一方の端部
３ｂ  他方の端部
１０  連結ピン受け具
１１  収納部
２１  開口
２２  ストッパ壁
２３  周壁
２４  収納空間
２５  切欠部
１２  取付部
２６ａ  一方の端部
２６ｂ  他方の端部
２７  中央部
２８ａ，２８ｂ  貫通孔
２９ａ，２９ｂ  間隙部
１３  把持部
【図１】
2019142652.tif 000003
【図２】
2019142652.tif 000004
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
複数の部材に設けられた連結用貫通穴に挿入されて各部材を連結した連結ピンを抜く際に、使用される連結ピン受け具であって、
収納部と取付部とを有し、
前記収納部は、前記連結ピンを収納可能に設けられた収納空間と、前記収納空間に連通し、前記連結ピンを通過可能に設けられた開口と、前記収納空間の前記開口とは反対側に設けられたストッパ壁と、前記開口の縁部から前記ストッパ壁まで伸びて、前記収納空間を囲うよう設けられた周壁とを有し、
前記取付部は、各部材を連結した前記連結ピンに前記開口を向けた状態で、前記収納部を各部材に取付可能に設けられていることを
特徴とする連結ピン受け具。
【請求項２】
前記連結ピンは、各連結用貫通穴から抜くとき、各連結用貫通穴の一方の側に位置する一方の端部から、各連結用貫通穴の他方の側に位置する他方の端部に向かって抜くよう構成されており、
前記開口は、前記収納空間に前記連結ピンを収納する際に、前記他方の端部から前記連結ピンを通過可能に設けられ、
前記取付部は、各連結用貫通穴の他方の側で、各部材を連結した前記連結ピンの前記他方の端部を前記開口の縁部で囲うと共に、前記ストッパ壁が前記一方の端部とは反対側に配置されるよう、前記収納部を各部材に取付可能であることを
特徴とする請求項１記載の連結ピン受け具。
【請求項３】
各部材は、複数のブーム材を着脱してブームの長さを変更可能なクレーンの各ブーム材であり、
前記連結ピンは、各ブーム材を連結可能であることを
特徴とする請求項１または２記載の連結ピン受け具。
【手続補正２】
【補正対象書類名】明細書
【補正対象項目名】０００７
【補正方法】変更
【補正の内容】
【０００７】
上記目的を達成するために、本発明に係る連結ピン受け具は、複数の部材に設けられた連結用貫通穴に挿入されて各部材を連結した連結ピンを抜く際に、使用される連結ピン受け具であって、収納部と取付部とを有し、前記収納部は、前記連結ピンを収納可能に設けられた収納空間と、前記収納空間に連通し、前記連結ピンを通過可能に設けられた開口と、前記収納空間の前記開口とは反対側に設けられたストッパ壁と、前記開口の縁部から前記ストッパ壁まで伸びて、前記収納空間を囲うよう設けられた周壁とを有し、前記取付部は、各部材を連結した前記連結ピンに前記開口を向けた状態で、前記収納部を各部材に取付可能に設けられていることを特徴とする。
【手続補正３】
【補正対象書類名】明細書
【補正対象項目名】００１０
【補正方法】変更
【補正の内容】
【００１０】
本発明に係る連結ピン受け具は、周壁により、収納空間に飛び込んだ連結ピンが、収納空間の側方から外部に飛び出すのを防ぐことができる。周壁は、連結ピンが収納空間の側方に抜けるのを防止可能であればよく、収納空間の内部と外部とに連通した穴やスリット等を有していてもよい。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
複数の部材に設けられた連結用貫通穴に挿入されて各部材を連結した連結ピンを抜く際に、使用される連結ピン受け具であって、
収納部と取付部とを有し、
前記収納部は、前記連結ピンを収納可能に設けられた収納空間と、前記収納空間に連通し、前記連結ピンを通過可能に設けられた開口と、前記収納空間の前記開口とは反対側に設けられたストッパ壁と、前記開口の縁部から前記ストッパ壁まで伸びて、前記収納空間を全周囲うよう設けられた周壁とを有し、
前記取付部は、各部材を連結した前記連結ピンに前記開口を向けた状態で、前記収納部を各部材に取付可能に設けられていることを
特徴とする連結ピン受け具。
【請求項２】
前記連結ピンは、各連結用貫通穴から抜くとき、各連結用貫通穴の一方の側に位置する一方の端部から、各連結用貫通穴の他方の側に位置する他方の端部に向かって抜くよう構成されており、
前記開口は、前記収納空間に前記連結ピンを収納する際に、前記他方の端部から前記連結ピンを通過可能に設けられ、
前記取付部は、各連結用貫通穴の他方の側で、各部材を連結した前記連結ピンの前記他方の端部を前記開口の縁部で囲うと共に、前記ストッパ壁が前記一方の端部とは反対側に配置されるよう、前記収納部を各部材に取付可能であることを
特徴とする請求項１記載の連結ピン受け具。
【請求項３】
各部材は、複数のブーム材を着脱してブームの長さを変更可能なクレーンの各ブーム材であり、
前記連結ピンは、各ブーム材を連結可能であることを
特徴とする請求項１または２記載の連結ピン受け具。
【手続補正２】
【補正対象書類名】明細書
【補正対象項目名】０００７
【補正方法】変更
【補正の内容】
【０００７】
上記目的を達成するために、本発明に係る連結ピン受け具は、複数の部材に設けられた連結用貫通穴に挿入されて各部材を連結した連結ピンを抜く際に、使用される連結ピン受け具であって、収納部と取付部とを有し、前記収納部は、前記連結ピンを収納可能に設けられた収納空間と、前記収納空間に連通し、前記連結ピンを通過可能に設けられた開口と、前記収納空間の前記開口とは反対側に設けられたストッパ壁と、前記開口の縁部から前記ストッパ壁まで伸びて、前記収納空間を全周囲うよう設けられた周壁とを有し、前記取付部は、各部材を連結した前記連結ピンに前記開口を向けた状態で、前記収納部を各部材に取付可能に設けられていることを特徴とする。
【手続補正３】
【補正対象書類名】明細書
【補正対象項目名】００１０
【補正方法】変更
【補正の内容】
【００１０】
本発明に係る連結ピン受け具は、周壁により、収納空間に飛び込んだ連結ピンが、収納空間の側方から外部に飛び出すのを防ぐことができる。周壁は、連結ピンが収納空間の側方に抜けるのを防止可能であればよく、収納空間の内部と外部とに連通した穴やスリット等を有していてもよい。